(57)【要約】【課題】遮断機構部を薄型化することができるコンセントを提供する。【解決手段】少なくとも一以上の差込プラグ接続部をケース３の幅方向の一方側に設け、固定接触子１０の固定接点１０ａから可動接触子１１の可動接点１１ａが開離することにより差込プラグ接続部への電源供給を遮断する遮断機構部９をケース３の幅方向の他方側に設けて成るコンセント１において、ケース３の長手方向に可動接触子１１が可動するように各極の固定接触子１０と、可動接触子１１とを略一列に設ける。【選択図】図３
2007048678.tif 000002
【特許請求の範囲】
【請求項１】
少なくとも１以上の差込プラグ接続部をケースの幅方向の一方側に設け、固定接触子の固定接点から可動接触子の可動接点が開離することにより前記差込プラグ接続部への電源供給を遮断する遮断機構部を前記ケースの幅方向の他方側に設けて成るコンセントにおいて、前記ケースの長手方向に前記可動接触子が可動するように各極の固定接触子と、可動接触子とを略一列に設けたことを特徴とするコンセント。
【発明の詳細な説明】
【技術分野】
【０００１】
本発明は、異常時に電路を遮断する遮断機構を備えたコンセントに関する。
【背景技術】
【０００２】
少なくとも１以上の差込プラグ接続部と、漏電発生時に固定接触子の固定接点から可動接触子の可動接点が開離することにより差込プラグ接続部への電源供給を遮断する遮断機構部とを備えたコンセントは、ケースの長手方向の一方側に差込プラグ接続部を収納し、ケースの長手方向の他方側に遮断機構部を収納し、遮断機構部の固定接触子と可動接触子は、可動接触子がケースの前後方向に可動するようにして各極が左右に並設されていた（例えば、特許文献１参照。）。
【０００３】
【特許文献１】特公昭６１−６５１０号公報
【発明の開示】
【発明が解決しようとする課題】
【０００４】
ケースの幅方向の一方側に差込プラグ接続部を配置し、他方側に遮断機構部を配置する場合には差込プラグ接続部の配置スペースを確保するために遮断機構部をできる限り薄型化したいが、従来のように各極の可動接触子と固定接触子を左右に並設すると遮断機構部が幅方向に大型化するという問題があった。
【課題を解決するための手段】
【０００５】
本発明は、少なくとも１以上の差込プラグ接続部をケースの幅方向の一方側に設け、固定接触子の固定接点から可動接触子の可動接点が開離することにより差込プラグ接続部への電源供給を遮断する遮断機構部をケースの幅方向の他方側に設けて成るコンセントにおいて、ケースの長手方向に可動接触子が可動するように各極の固定接触子と、可動接触子とを略一列に設けたことを特徴とする。
【発明の効果】
【０００６】
本発明によれば、遮断機構部を薄型化することができるという効果がある。
【発明を実施するための最良の形態】
【０００７】
少なくとも１以上の差込プラグ接続部をケースの幅方向の一方側に設け、固定接触子の固定接点から可動接触子の可動接点が開離することにより差込プラグ接続部への電源供給を遮断する遮断機構部をケースの幅方向の他方側に設けて成るコンセントにおいて、ケースの長手方向に可動接触子が可動するように各極の固定接触子と、可動接触子とを略一列に設ける。
【実施例１】
【０００８】
本発明に係るコンセントの実施例１を図１〜図５の添付図面に基づいて説明する。
【０００９】
コンセント１は図１に示すようにＪＩＳ規格（日本工業規格）で規格化された大角形連用配線器具の取付枠（ＪＩＳ  Ｃ  ８３７５−１９９２）２に取付可能な３個モジュール寸法（ＪＩＳ  Ｃ  ８３０３−１９９３）にケース３が形成されている。
【００１０】
ケース３は、図２に示すように幅方向の一方側に負荷機器の差込プラグの栓刃（図示せず）が接続される複数の差込プラグ接続部４とアース端子５を備え、差込プラグ接続部４はケース３の内部に収納される１対の受刃４ａ，４ａと、受刃４ａ，４ａと対向するケース３の前面に形成されて差込プラグの栓刃を挿入するためのプラグ挿入口４ｂ，４ｂとで構成している。また、差込プラグの栓刃間に発生するトラッキングを検出するための検出部６と、検出部６からの信号により異常を検出して遮断信号を出力する異常検出回路を実装したプリント基板７とを備え、検出部６は受刃４ａ，４ａ間に設けられて検出部６と対向するケース３には検出孔３ａが形成され、プリント基板７は受刃４ａ，４ａの背部スペースに収納されている。異常検出回路から出力される遮断信号は信号線８を介して遮断機構部９に伝送されるようになっている。この遮断機構部９はケース３の幅方向の他方側に収納されている。
【００１１】
遮断機構部９は、図３及び図４に示すように電路に接続されて固定接点１０ａを先端に固着した固定接触子１０と、固定接点１０ａと接離自在に対向する可動接点１１ａを先端に固着し、固定接触子１０から離反する方向に弾性を有する可動接触子１１と、可動接触子１１を固定接触子１０側に押圧するクロスバー１２と、ケース３の前面に起倒可能に設けられて電路をオン・オフ操作をするための操作ハンドル１３と、操作ハンドル１３の操作に連動してクロスバー１２を作動させるリンク機構１４と、異常検出回路からの遮断信号を受けて動作してリンク機構１４を作動させる電磁引き外し装置１５とで構成している。各極の固定接触子１０及び可動接触子１１は可動接触子１１がケース３の長手方向に可動するように略一列に設けられている。
【００１２】
このように形成されたケース３は取付枠２の開口部２ａに前面部を嵌めた上で例えばネジ止めやカシメ止めなどの固定手段により固定される。そして、図示しないがケース３の背面の電源端子に電源線を接続して取付枠２の取付孔２ｂを取付ネジで壁面に埋設されたスイッチボックスに螺着し、図５に示すように取付枠２の前面にフラッシプレート１６を装着して設置される。
【００１３】
設置されたコンセント１は図３に示すように操作ハンドル１３をオンにして使用される。操作ハンドル１３をオンにするとリンク機構１４を介してクロスバー１２が上方向に移動し、クロスバー１２は可動接触子１１の弾性力に反し固定接触子１０側に押圧して可動接点１１ａと固定接点１０ａを接触させる。これにより、電路は閉成して差込プラグ接続部４から負荷機器に電気が供給されるようになっている。そして、差込プラグ接続部４に接続された差込プラグの栓刃間にトラッキングが発生すると、検出孔３ａを介して検出部６が検出し、検出部６の検出信号により異常検出回路がトラッキングであると判定すると遮断機構部９の電磁引き外し装置１５へ遮断信号を出力する。電磁引き外し装置１５は遮断信号を受けると作動してリンク機構１４を作動させ、図４に示すように操作ハンドル１３をオフにするとともにクロスバー１２による可動接触子１１への押圧を解除する。クロスバー１２の押圧が解除されると可動接触子１１は弾性力により固定接触子１０から離反し、固定接点１０ａと可動接点１１ａが開離して電路が遮断されるようになっている。
【００１４】
尚、本実施例ではトラッキングを検知して電路を遮断するようになっているが、過負荷、漏電、コード短絡、地震などを検知して電路を遮断するようにしても良く、また、コンセントの形状及び構造についても本発明の趣旨を逸脱しない範囲で適宜に変更して実施することが可能である。
【図面の簡単な説明】
【００１５】
【図１】本発明に係るコンセントを示す正面図である。
【図２】本発明に係るコンセントの内部構成を説明する図１のＡ−Ａ線断面図である。
【図３】本発明に係るコンセントがオンの状態の遮断機構部を説明する図１のＢ−Ｂ線断面図である。
【図４】本発明に係るコンセントがオフの状態の遮断機構部を説明する断面図である。
【図５】本発明に係るコンセントにフラッシプレートを取り付けた状態の正面図である。
【符号の説明】
【００１６】
１    コンセント
３    ケース
４    差込プラグ接続部
９    遮断機構部
１０    固定接触子
１１    可動接触子
１２    クロスバー
１３    操作ハンドル
１４    リンク機構
１５    電磁引き外し装置
【図１】
2007048678.tif 000003
【図２】
2007048678.tif 000004
【図３】
2007048678.tif 000005
【図４】
2007048678.tif 000006
【図５】
2007048678.tif 000007